(57)【特許請求の範囲】
【請求項１】
コネクタを構成するコネクタハウジングの端子収容室内に挿入した端子を固定するために、前記コネクタハウジングの前端部側より前記端子収容室にフロントホルダを嵌着させるときに使用する端子固定用フロントホルダの嵌着治具であって、
前記コネクタハウジングのフード部が嵌入可能なガイド凹部を設けた本体部と、
前記ガイド凹部の略中央部に固定され、前記端子の電気接続部の進入を許容する端子孔および前記フロントホルダを挿抜自在に支持する支持孔を穿設した先端面を有し、前記フード部の前記ガイド凹部への嵌入時に前記フード部内に嵌入すると共に、前記支持孔に支持された前記フロントホルダを前記端子収容室内に挿入するホルダ支持部とを備えて構成され、
前記フロントホルダは、前記端子の電気接続部の進入を許容するホルダ側端子孔を穿設した垂直板と、この垂直板の一側面に突出形成され前記端子収容室へ挿入されて前記端子を固定するスペーサ部と、前記垂直板の他側面に突出形成され前記支持孔に挿入されて前記フロントホルダを前記ホルダ支持部に挿抜自在に支持する支持片と、この支持片の表裏面のいずれかの面に設けられたリブとを備えて形成されており、かつ
前記支持孔は、前記フロントホルダの前記支持片の両側縁部が嵌入する両側のガイド溝と、このガイド溝に両側縁部を嵌入させたときに前記支持片の前記リブの形成側に対向する空間部が、前記支持片の他側に対向する空間部よりも、前記リブの受容を可能とするスペースを有して広く形成されている挿入孔とを備えて形成されていることを特徴とする端子固定用フロントホルダの嵌着治具。
【請求項２】
請求項１に記載の端子固定用フロントホルダの嵌着治具であって、
前記本体部は、前記ガイド凹部の周壁に、前記コネクタハウジングのフード部の外周部に形成された複数の突部を嵌入させるガイド部を備えて形成されていることを特徴とする端子固定用フロントホルダの嵌着治具。
【請求項３】
請求項１または２に記載の端子固定用フロントホルダの嵌着治具であって、
前記本体部は、透明樹脂材で構成されていることを特徴とする端子固定用フロントホルダの嵌着治具。
【発明の詳細な説明】
【０００１】
【発明の属する技術分野】
この発明は、コネクタハウジングの端子収容室内に挿入した端子を固定するために、前記コネクタハウジングの前端部側より前記端子収容室にフロントホルダを嵌着させるときに使用する端子固定用フロントホルダの嵌着治具に関する。
【０００２】
【従来の技術】
図３（ａ），（ｂ）は、特開平９−１０６８４６号公報に開示されたコネクタ１を示す。このコネクタ１は、合成樹脂を射出成形して成るハウジング２と、端子固定用フロントホルダ３と、防水栓４と、電気配線１００に接続された複数本の雄型端子６を具備して構成されている。ハウジング２は、雄型端子６を保護するフード部２ａを有し、その内部が複数本の雄型端子６の電気接続部６ａをそれぞれ隔離させて挿着可能な複数個の端子収容室７が透設されている。さらに、端子収容室７の内壁には雄型端子６の胴部に設けた凹部８に係合可能な突起を有して成るランス９が設けられている。
【０００３】
フロントホルダ３は、スペーサ部１２を有してハウジング２の前端部となるフード部２ａの開口端から挿入されて、雄型端子６の電気接続部６ａがフロントホルダ３の垂直板１０に透設した複数個の孔１１を貫通する一方、垂直板１０から突設した複数本のスペーサ部１２がハウジング２内の端子収容室７に隣接して刻設された溝１３内に嵌入される。溝１３内に嵌入されたスペーサ部１２によりランス９の撓みが規制されて、ランス９に設けられた係止突起が雄型端子６の凹部８に係合し、雄型端子６を完全に固定化する。
【０００４】
なお、ハウジング２の一方端には、電線１００に装着された防水栓４が嵌着されて、貫通している各電気配線１００の水密化がなされている。また、フロントホルダ３は、その垂直板１０に挿入案内片１４を突設し、この挿入案内片１４に開口部１５を穿設し、この開口部１５に引き出し具１６の先端を引っかけて引き出されるように構成されている。図４（ｂ）中、引き出し方向は、ａ矢印で示す。
【０００５】
【発明が解決しようとする課題】
ところで、このコネクタ１の従来の組付け工程においては、端子固定用フロントホルダ３は、ラジオペンチや突っつき棒等を用いた手作業で組み付けられている。
【０００６】
すなわち、ラジオペンチの場合、これでフロントホルダ３を摘んでコネクタ１の所定の箇所に押し込むことによって、フロントホルダ３を装着している。また、突っつき棒の場合、コネクタ１のフード部２ａの浅い部分にフロントホルダ３をセットし、その後セットされたフロントホルダ３を突っつき棒の先端で押すようにしてコネクタ１の所定の箇所に押し込むことによって、フロントホルダ３を装着している。
【０００７】
しかしながら、このような手作業によるフロントホルダ３の組み付けにおいては、フロントホルダ３の装着箇所が、コネクタ１の内部の、狭くかつ深い箇所にあるので、大変面倒で作業効率が悪いばかりでなく、雄型端子６の電気接続部６ａを曲げる恐れがある、と言う課題を有している。
【０００８】
また、前記した従来の手作業においては、フロントホルダ３の装着状態の確認は、作業者の覗き見による目視に頼らざるを得ず、このため作業者の負担が大きくなるばかりでなく、疲れによる精度の低下を招き、ひいてはフロントホルダ３の押し込みの良し悪しに起因する品質のバラツキが大きくなる、と言う課題をも有している。
【０００９】
さらには、ラジオペンチの場合、フロントホルダ３の掴み方によっては、フロントホルダ３を破損させる恐れがある、と言う課題をも有している。
【００１０】
そこで、この発明は、フロントホルダ自体、および雄型端子の電気接続部への悪影響を伴うことなく、かつ作業者の負担の増大を伴うことなく、フロントホルダの組み付けを容易に行うことができると共に、フロントホルダの押し込み度合いを一定にして品質の安定化をも図ることができる端子固定用フロントホルダの嵌着治具を提供することを目的としている。
【００１１】
【課題を解決するための手段】
前記目的を達成するために、請求項１の発明は、コネクタを構成するコネクタハウジングの端子収容室内に挿入した端子を固定するために、前記コネクタハウジングの前端部側より前記端子収容室にフロントホルダを嵌着させるときに使用する端子固定用フロントホルダの嵌着治具であって、前記コネクタハウジングのフード部が嵌入可能なガイド凹部を設けた本体部と、前記ガイド凹部の略中央部に固定され、前記端子の電気接続部の進入を許容する端子孔および前記フロントホルダを挿抜自在に支持する支持孔を穿設した先端面を有し、前記フード部の前記ガイド凹部への嵌入時に前記フード部内に嵌入すると共に、前記支持孔に支持された前記フロントホルダを前記端子収容室内に挿入するホルダ支持部とを備え、前記フロントホルダは、前記端子の電気接続部の進入を許容するホルダ側端子孔を穿設した垂直板と、この垂直板の一側面に突出形成され前記端子収容室へ挿入されて前記端子を固定するスペーサ部と、前記垂直板の他側面に突出形成され前記支持孔に挿入されて前記フロントホルダを前記ホルダ支持部に挿抜自在に支持する支持片と、この支持片の表裏面のいずれかの面に設けられたリブとを備えて形成されており、かつ前記支持孔は、前記フロントホルダの前記支持片の両側縁部が嵌入する両側のガイド溝と、このガイド溝に両側縁部を嵌入させたときに前記支持片の前記リブの形成側に対向する空間部が、前記支持片の他側に対向する空間部よりも、前記リブの受容を可能とするスペースを有して広く形成されている挿入孔とを備えて形成されていることを特徴とする。
【００１２】
このため、請求項１の発明では、フロントホルダをホルダ支持部の支持孔に支持させた後、本体部のガイド凹部にコネクタハウジングのフード部を嵌入させる。この嵌入で、ホルダ支持部が、フード部内に嵌入する。この嵌入は、例えば、ホルダ支持部の先端面を端子収容室の前端面に突き当たるまで行われ、これによりフロントホルダを端子収容室に挿入させることができる。このとき、端子の電気接続部は、ホルダ支持部の端子孔内に進入して保護される。挿入後は、本体部とコネクタハウジングとを相対的に離反させることにより、フロントホルダを、端子収容室に挿入させた状態のまま嵌着治具のみを、コネクタハウジングから除去することができ、これによりフロントホルダの嵌着が終了する。
【００１４】
また、請求項１の発明では、フロントホルダの支持片は、リブの形成側の側面を、リブの受容を可能とするスペースを有して広く形成された空間部に対向させた姿勢でのみ、挿入孔へ挿入することができ、これによりフロントホルダのホルダ支持部への支持姿勢を規制することができる。また、端子の電気接続部は、ホルダ側端子孔を介してホルダ支持部の端子孔内に進入して保護される。
【００１５】
また、請求項２の発明は、請求項１に記載の端子固定用フロントホルダの嵌着治具であって、前記本体部は、前記ガイド凹部の周壁に、前記コネクタハウジングのフード部の外周部に形成された複数の突部を嵌入させるガイド部を備えて形成されていることを特徴とする。
【００１６】
このため、請求項２の発明では、コネクタハウジングのフード部は、その複数の突部を、ガイド凹部の周壁に形成されたガイド部に符合させた姿勢でのみ、ガイド凹部へ嵌入させることができ、これによりフード部のガイド凹部への嵌入姿勢を規制することができる。
【００１７】
また、請求項３の発明は、請求項１または２に記載の端子固定用フロントホルダの嵌着治具であって、前記本体部は、透明樹脂材で構成されていることを特徴とする。
【００１８】
このため、請求項３の発明では、外部から本体部を透して、ホルダ支持部のフード部内への嵌入深さを視認することができる。
【００１９】
【発明の実施の形態】
以下、この発明の実施の形態を図面に基づき説明する。なお、図３のものと同一部材あるいは同一機能を奏する部材は、同一符号を付して説明する。
【００２０】
図１は、この発明の実施の形態としての端子固定用フロントホルダの嵌着治具２０を示し、図２は、この嵌着治具２０が適用されるコネクタ１を構成するコネクタハウジング２を示す。
【００２１】
嵌着治具２０は、コネクタ１を構成するコネクタハウジング２の端子収容室７内に挿入した端子６を固定するために、コネクタハウジング２の前端部側より端子収容室７にフロントホルダ３を嵌着させるときに使用する治具である。
【００２２】
また、コネクタ１は、合成樹脂を射出成形して成るハウジング２と、端子固定用フロントホルダ３と、防水栓（図示せず）と、電気配線１００に接続された１０本の雄型端子６を具備して構成されている。ハウジング２は、雄型端子６を保護するフード部２ａを有し、その内部が１０本の雄型端子６の電気接続部６ａをそれぞれ隔離させて挿着可能な１０個の端子収容室７が透設されている。さらに、端子収容室７の内壁には、従来のコネクタと同様に、雄型端子６の胴部に設けた凹部８に係合可能な突起を有して成るランス９（図２（ｂ）参照）が設けられている。
【００２３】
本実施形態では、嵌着治具２０は、コネクタハウジング２のフード部２ａが嵌入可能なガイド凹部２２を設けた本体部２１と、ガイド凹部２２の略中央部に固定され、端子６の電気接続部６ａの進入を許容する端子孔２４およびフロントホルダ３を挿抜自在に支持する支持孔２５を穿設した先端面２３ａを有し、フード部２ａのガイド凹部２２への嵌入時にフード部２ａ内に嵌入すると共に、その先端面２３ａを端子収容室７の前端面７ａに突き当てて、支持孔２５に支持されたフロントホルダ３を端子収容室７内に挿入するホルダ支持部２３とを備えて構成されている。
【００２４】
本体部２１は、筒状体の一端側を、板状体４５で閉塞することでガイド凹部２２を伴って構成されており、ホルダ支持部２３は、その基端部を板状体４５にねじ等により固着して設けられている。板状体４５には、操作桿４０が設けられている。
【００２５】
このように構成された嵌着治具２０においては、フロントホルダ３をホルダ支持部２３の支持孔２５に支持させた後、本体部２１のガイド凹部２２にコネクタハウジング２のフード部２ａを嵌入させる。この嵌入で、ホルダ支持部２３が、フード部２ａ内に嵌入する。この嵌入は、ホルダ支持部２３の先端面２３ａを端子収容室７の前端面７ａに突き当たるまで行われ、これによりフロントホルダ３を端子収容室７に挿入させることができる。このとき、端子６の電気接続部６ａは、ホルダ支持部２３の端子孔２４内に進入して保護される。挿入後は、本体部２１とコネクタハウジング２とを相対的に離反させることにより、フロントホルダ３を、端子収容室７に挿入させた状態のまま嵌着治具２０のみを、コネクタハウジング２から除去することができ、これによりフロントホルダ３の嵌着が終了する。
【００２６】
好ましくは、フロントホルダ３は、端子６の電気接続部６ａの進入を許容するホルダ側端子孔３１ａを穿設した垂直板３１と、この垂直板３１の一側面に突出形成され端子収容室７へ挿入されて端子６を固定するスペーサ部１２と、垂直板３１の他側面に突出形成され支持孔２５に挿入されてフロントホルダ３をホルダ支持部２３に挿抜自在に支持する支持片３２と、この支持片３２の表裏面のいずれかの面に設けられたリブ３３とを備えて形成されている。
【００２７】
このとき、スペーサ部１２は、ハウジング２の端子収容室７に挿入可能な細片で形成され、端子収容室７の形成個数に合わせて、垂直板３１の上部および下部にそれぞれ５個ずつ計１０個形成されている。このスペーサ部１２は、端子収容室７のランス９の上部側のスペース７ｂ（図２（ｂ）参照）に挿入されてランス９の撓みを規制するものであるが、図１と図２（ｂ）との対応では、図１の上部および下部のスペーサ部１２は、図２（ｂ）の下部および上部のスペース７ｂにそれぞれ挿入される。スペース７ｂに挿入されたスペーサ部１２は、従来と同様に、ランス９の撓みを規制して、ランス９に設けられた係止突起を雄型端子６の凹部８に係合させて、雄型端子６を完全に固定化する。
【００２８】
また、ホルダ側端子孔３１ａは、上部および下部のスペーサ部１２の間の垂直板３１に設けられており、図１と図２（ｂ）との対応では、図２（ｂ）の上部の端子収容室７に挿入された電気接続部６ａの進入を許容する。支持片３２は、図１では、ホルダ側端子孔３１ａの上部の垂直板３１の他側面に、水平な板状体として突出形成されている。リブ３３は、この支持片３２の付け根部から短尺状に延設されて支持片３２の表面に複数（図１では４個）設けられている。
【００２９】
また、ホルダ支持部２３の支持孔２５は、フロントホルダ３の支持片３２の両側縁部３２ａ，３２ａが嵌入する両側のガイド溝２５ａ，２５ａと、このガイド溝２５ａ，２５ａに両側縁部３２ａ，３２ａを嵌入させたときに支持片３２のリブ３３の形成側に対向する空間部が、支持片３２の他側に対向する空間部よりも、リブ３３の受容を可能とするスペースを有して広く形成されている挿入孔２５ｂとを備えて形成されている。
【００３０】
この構成では、フロントホルダ３の支持片３２は、リブ３３の形成側の側面を、リブ３３の受容を可能とするスペースを有して広く形成された空間部に対向させた姿勢でのみ、挿入孔２５ｂへ挿入することができ、これによりフロントホルダ３のホルダ支持部２３への支持姿勢を規制することができる。このため、フロントホルダ３は、常に正しい姿勢でのみホルダ支持部２３へ挿入されてセットされることになる。また、端子６の電気接続部６ａの内、図２（ｂ）の上部の端子収容室７に挿入された電気接続部６ａは、ホルダ側端子孔３１ａを介してホルダ支持部２３の端子孔２４内に進入して保護されると共に、図２（ｂ）の下部の端子収容室７に挿入された電気接続部６ａは、直接ホルダ支持部２３の端子孔２４内に進入して保護される。この保護により、電気接続部６ａとフロントホルダ３の干渉をも有効に避けることができ、これにより電気接続部６ａを一層確実に保護することができる。
【００３１】
さらに好ましくは、本体部２１は、ガイド凹部２２の周壁に、コネクタハウジング２のフード部２ａの外周部に形成された大きさの異なる突部４１，４２，４３，および４４をそれぞれ嵌入させるガイド部２６，２７，２８，および２９を備えて形成される。
【００３２】
この構成では、コネクタハウジング２のフード部２ａは、その大きさの異なる突部４１，４２，４３，および４４を、ガイド凹部２２の周壁に形成されたガイド部２６，２７，２８，および２９に符合させた姿勢でのみ、ガイド凹部２２へ嵌入させることができ、これによりフード部２ａのガイド凹部２２への嵌入姿勢を規制することができる。このためコネクタハウジング２のフード部２ａは、常に正しい姿勢でのみガイド凹部２２内へ挿入され、前述した正しい姿勢で挿入されたフロントホルダ３とが相俟ってフロントホルダ３の精確な嵌着を確保することができる。
【００３３】
また、この嵌着作業では、コネクタハウジング２のフード部２ａのガイド凹部２２への嵌入深さは、常に一定に保たれるので、フロントホルダ３の挿入深さが一定に保たれて、品質の安定化をも図ることができる。
【００３４】
また、さらに好ましくは、本体部２１は、透明樹脂材で構成される。透明樹脂材としては、例えばアクリル樹脂やポリカーボネートが用いられる。
【００３５】
このように構成することにより、外部から本体部２１を透して、ホルダ支持部２３のフード部２ａ内への嵌入深さを視認することができる。このため、フロントホルダ３の嵌着状態を、ホルダ支持部２３の嵌入深さにより確認して、フロントホルダ３の不十分な嵌着を防ぐことができ、ひいてはコネクタ１の品質の安定化を図ることができる。
【００３６】
また、以上述べたコネクタ１は、１０個の雄型端子６を有する１０極コネクタであるが、本発明は、このコネクタ１に適用されるのに限定されるものでなく、９極以下あるいは１１極以上のコネクタにも適用できることは勿論であり、かつガイド凹部２２の周壁に形成されるガイド部２６，２７，２８，および２９は、必要に応じて数を増減することができるし、各成形箇所を変更してコネクタハウジング２のフード部２ａが一姿勢でのみガイド凹部２２へ嵌入できるようにすることもできる。
【００３７】
【発明の効果】
以上説明してきたように、請求項１の発明によれば、端子の電気接続部を、ホルダ支持部の端子孔内に進入させて保護すると共に、ホルダ支持部の支持孔に支持させたフロントホルダを、本体部のガイド凹部にコネクタハウジングのフード部を嵌入させることによって、コネクタハウジング内のフロントホルダの嵌着箇所に嵌着させることができるので、フロントホルダ自体、および雄型端子の電気接続部への悪影響を伴うことなく、かつ作業者の負担の増大を伴うことなく、フロントホルダの組み付けを容易に行うことができると共に、フロントホルダの押し込み度合いを一定にして品質の安定化をも図ることができる。
【００３８】
また、請求項１の発明によれば、フロントホルダの嵌着時には、端子の電気接続部を、フロントホルダのホルダ側端子孔を介してホルダ支持部の端子孔内に進入させて保護することができるので、電気接続部とフロントホルダとの干渉を有効に避けることができ、ひいては電気接続部を一層確実に保護することができる。
【００３９】
その上、請求項１の発明によれば、フロントホルダのホルダ支持部への支持姿勢を規制して、フロントホルダを、常に正しい姿勢でのみホルダ支持部に支持できるようにしたので、嵌着作業に対する信頼性の向上を図ることができる。
【００４０】
また、請求項２の発明によれば、コネクタハウジングのフード部のガイド凹部への嵌入姿勢を規制して、フード部を、常に正しい姿勢でのみガイド凹部へ嵌入できるようにしたので、嵌着作業に対する信頼性の向上を図ることができる。
【００４１】
また、請求項３の発明によれば、外部から本体部を透して、ホルダ支持部のフード部内への嵌入深さを視認することができるので、フロントホルダの嵌着状態を、ホルダ支持部の嵌入深さにより確認して、フロントホルダの不十分な嵌着を防ぐことができ、コネクタの品質の一層の安定化を図ることができる。
【図面の簡単な説明】
【図１】本発明の実施形態としての嵌着治具を用いて、フロントホルダをコネクタへ嵌着させる作業状態を説明する分解斜視図である。
【図２】図１のコネクタを構成するコネクタハウジングで、（ａ）はフード部の開口側から見た正面図であり、（ｂ）は（ａ）のＡ−Ａ線に沿う断面図である。
【図３】端子固定用フロントホルダの従来の嵌着方法を説明するためのコネクタを示し、（ａ）は一部切欠いた斜視図、（ｂ）は縦断面図である。
【符号の説明】
１  コネクタ
２  ハウジング（コネクタハウジング）
２ａ  フード部（ハウジングの）
３  フロントホルダ（端子固定用フロントホルダ）
６  雄型端子（端子）
６ａ  電気接続部（端子の）
７  端子収容室
７ａ  前端面（端子収容室の）
１２  スペーサ部
２０  嵌着治具（端子固定用フロントホルダの）
２１  本体部
２２  ガイド凹部
２３  ホルダ支持部
２３ａ  先端面（ホルダ支持部の）
２４  端子孔
２５  支持孔
２５ａ  ガイド溝
２５ｂ  挿入孔
２６，２７，２８，２９  ガイド部
３１  垂直板
３１ａ  ホルダ側端子孔
３２  支持片
３２ａ  側縁部（支持片の）
３３  リブ
４１，４２，４３，４４  突部
【図１】
0003798233.tif 000002
【図２】
0003798233.tif 000003
【図３】
0003798233.tif 000004